(57)【特許請求の範囲】
【請求項１】
所定の口径を有する水道配水管を用いたときに適切に水道水の圧送が行える給水能力を有し、且つ、前記所定の口径を有する水道配水管よりも小さい口径を有する細い水道配水管に接続される給水補助加圧装置であって、
前記細い水道配水管に接続され、住宅へ配水する前記細い水道配水管の給水圧力を補助的に加圧し、吸込み側には逆流を阻止する逆流防止部が設けられる給水補助ポンプと、
前記逆流防止部の一次側に設けられ、前記給水補助ポンプの二次側の使用水量が前記給水補助ポンプの吐出水量より大きくなるときの前記給水補助ポンプの吸込圧力の低下を抑えるアキュムレータと
を具備したことを特徴とする給水補助加圧装置。
【発明の詳細な説明】
【技術分野】
【０００１】
本発明は、例えば水道配水管の給水圧力を補助的に加圧するために用いられる給水補助加圧装置に関する。
【背景技術】
【０００２】
住宅の給水は、主に水道本管の給水圧力に依存して行なわれている。しかし、２階、３階やそれ以上の階の住宅になると、水道本管の給水圧力にも限りがあるために、水道本管からの給水圧力だけでは、上階まで充分な水量が確保できないことがある。
【０００３】
そのため、例えば２階、３階に増築するときなどでは、水道本管から引き込まれる既設の水道配水管の一部に、別途、給水圧力を補助的に加圧する給水補助加圧装置を組み込んで、給水圧力を確保することが行なわれる。給水補助加圧装置の多くは、吸込み側に水道本管への逆流を防ぐ逆止弁（逆流防止部）をもつ、給水能力が可変可能な給水補助ポンプを用いる構造が用いられる。
【０００４】
現在、通常、水道本管から引き込まれる水道配水管として、口径が２０ｍｍの水道配水管が使用されている。しかし、古い住宅の場合、現在の住宅で使用されている水道配水管より細い水道配水管が使用されていることがある。例えば古い住宅では、口径が１３ｍｍという、細い口径の水道配水管が用いられていることがある。
【０００５】
給水補助ポンプは、現在の水道配水管に対応した給水能力をもつようユニット化されている。このため、古い住宅の場合、例えば１３ｍｍ口径で給水する水道配水管に対し、該水道配水管の給水能力を超える大きな給水能力（例えば２０ｍｍ口径を対象にした能力）をもつ給水補助ポンプが組み付くという、アンバランス的な組み合わせが生じる。
【０００６】
ところで、現在、使用される２０ｍｍの口径の水道配水管は、瞬時に大水量に使用する機器、例えばタンクレストイレなどの使用水量を十分に許容できる容量をもつ。これに対して、古い住宅で使用されている１３ｍｍ口径の水道配水管は、それより劣る。
【０００７】
このため、現在の口径（例えば２０ｍｍ）の水道配水管と該水道配水管に適した給水補助ポンプとの組み合わせでは見られなかった問題、すなわち給水補助加圧装置の設置により上階に必要な給水量が確保されたものの、反面、水道配水管が細いために、タンクレストイレなど瞬時に大水量が使用されると、使用水量が給水補助ポンプの吐出水量より大きくなるので、加圧運転中の給水補助ポンプの吸込み側の近くで、大きな吸込圧力の低下が生じるという問題がある。
【０００８】
通常、２０ｍｍの水道配水管を用い、同口径と対応した給水能力の給水補助ポンプで加圧する場合、水道配水管からの給水水量に余裕があるために上記のような問題が生じず、特段の対処は見られない（特許文献１を参照）。
【特許文献１】特開平７−５４３８２号公報
【発明の開示】
【発明が解決しようとする課題】
【０００９】
つまり、細い水道配水管を対象とした補助加圧は、瞬時に大水量が使用されるような状況なると、水道配水管自身を要因とした吸込圧力の大きな圧力低下は避けられず、水道配水管や水道本管に影響を与えてしまうおそれがある。
【００１０】
そこで、本発明の目的は、水道配水管が細いことを要因とした給水補助ポンプの吸込圧力の低下を防げる給水補助加圧装置を提供することにある。
【課題を解決するための手段】
【００１１】
請求項１の発明は、上記目的を達成するために、所定の口径を有する水道配水管を用いたときに適切に水道水の圧送が行える給水能力を有し、且つ、前記所定の口径を有する水道配水管よりも小さい口径を有する細い水道配水管に接続される給水補助加圧装置であって、前記細い水道配水管に接続され、住宅へ配水する前記細い水道配水管の給水圧力を補助的に加圧し、吸込み側には逆流を阻止する逆流防止部が設けられる給水補助ポンプと、前記逆流防止部の一次側に設けられ、前記給水補助ポンプの二次側の使用水量が前記給水補助ポンプの吐出水量より大きくなるときの前記給水補助ポンプの吸込圧力の低下を抑えるアキュムレータとを具備したことを特徴とする。
【発明の効果】
【００１３】
請求項１に記載の発明によれば、抑制手段により、給水補助ポンプ運転時、細い水道配水管を使用するという制約で生ずる吸込圧力の低下が抑えられる。
【００１４】
したがって、たとえ細い水道配水管を通じ、瞬時に大水量が使用されることがあっても、水道配水管や水道本管に影響を与えずにすむ。
【００１５】
請求項２に記載の発明によれば、さらに上記効果に加え、簡単な構造で、吸込圧力の低下に対処できるという効果を奏する。
【発明を実施するための最良の形態】
【００１６】
［一実施形態］
以下、本発明を図１に示す一実施形態にもとづいて説明する。
【００１７】
図１は、例えば給水補助加圧装置が組み込まれた住宅の給水系Ａを示している。同図中１は、図示しない水道本管から住宅、ここでは例えば３階建ての住宅２に引き込まれる水道配水管、３は、同水道配管１から各階に分岐され、各階の各種蛇口やトイレ（例えばタンクレス）などの需要部（図示しない）へ接続された分岐管を示している。水道配水管１には、例えば口径が１３ｍｍの配管部材が使用してある（古い住宅のため）
一方、１０は、給水補助加圧装置である。この給水補助加圧装置１０には、例えばポンプユニット１１とバイパスモジュール２０とを組み合わせた構造が用いられている。このうちポンプユニット１１には、例えばフランジ付き吸込口部１２およびフランジ付き吐出口部１３が形成されたケーシング１４の内部に圧送構造を収めた構造が用いてある。圧送構造には、例えば吸込口部１２と吐出口部１３との間をむすぶ流路１５に、上流側から、電動モータ１６で駆動される給水補助ポンプ１７、吐出圧力用のアキュームレータ１８を順に組み付けた構造が用いられる。
【００１８】
バイパスモジュール２０は、吸込口部１２と吐出口部１３との間に、接続管部２１ａ，２１ｂを介して、フランジ接続されたパイパス路２１と、同バイパス路２１の吸込側の端から接続管部２１ｂと反対側へ向かって延びる吸込口体１２ａと、同バイパス路２１の吐出側の端から接続管部２１ａとは反対側へ向かって延びる吐出口体１３ａと、バイパス路２１と吸込口体１２ａと接続管部２１ｂとが交差する部分に組み付けた切換弁、例えば電動式の三方切換弁２３ａと、バイパス路２１と吐出口体１３ａと接続管部２１ａとが交差する部分に組み付けた切換弁、例えば電動式の三方切換弁２３ｂと、バイパス路２１の途中に介装された逆流防止用の逆止弁２１ｃとを有した構造が用いてある。そして、逆止弁２１ｃ、三方切換弁２３ａ，２３ｂにより、吸込口体１２ａから給水補助ポンプ１７を通じて吐出口体１３ａへ向かう経路（ポンプを通過する経路）と、一点鎖線の矢印で示される吸込口体１２ａからバイパス路２１を通じて吐出口体１３ａへ向かう経路（ポンプを通過しない短絡的な経路）とに切り換えられるようにしてある。また吸込側の接続管部２１ｂには、逆流防止部として、例えば逆止弁２４が介装してある。これで、給水補助ポンプ１７の吸込側に逆止弁２４が組み付けてある。
【００１９】
この給水補助加圧装置１０は、現在の仕様に適合した製品、すなわち口径が２０ｍｍの水道配水管を用いたときに適切に水道水の圧送が行なえる給水能力をもつ製品である。
【００２０】
この給水補助加圧装置１０が、本来の対象となる水道配水管（口径２０ｍｍ）とは異なる給水系、すなわち細い水道配水管１（口径１３ｍｍ）で構成される給水系Ａの一部（途中）に組み込んである。具体的には、水道配水管１は、住宅２側と水道本管（図示しない）側とに分割されていて、分けた住宅1側の配水管部５の端部に、例えばねじ接続で、給水補助加圧装置１０の吐出口体１３ａの端部が接続してある。また水道本管側の配水管部６の端部には、例えばねじ接続で、給水補助加圧装置１０の吸込口体１２ａの端部が接続してある。図中１ａ，１ｂはこれらの接続部を示している。この給水補助加圧装置１０の設置により、給水補助ポンプ１７で水道配水管１の給水圧力を補助的に加圧して、各上階（２階、３階）までも水道水の給水が行なわれるようにしている。むろん、給水補助ポンプ１７の運転は、水道配水管１の給水圧力に応じて能力可変しながら行なわれる。つまり、給水圧力が不足するときだけ給水補助ポンプ１７が運転される。それ以外のときは、運転が停止され、水道本管からの水道水がバイパス路２１を通じて、直接（給水補助ポンプ１７を経由せず）、各分岐管３へ給水されるようにしてある。もちろん、逆止弁２１ｃ，２４により、水道水は、ポンプ側（住宅側）から水道本管側へ逆流することはない。なお、図中２７は、給水補助ポンプ１７の吐出側に組み付く逆止弁、２８が同逆止弁２７に隣接して組み付く開閉弁を示す。
【００２１】
給水補助加圧装置１０の吸込側、具体的には逆止弁２４の一次側（入口側）となる吸込口体１２ａには、抑制手段として、アキュームレータ３０が接続されている。このアキュームレータ３０には、大容量のアキュームレータが採用されている。これで、水道水が、アキュームレータ３０の内部に、水道本管（図示しない）の給水圧力で蓄えられるようにしている。このアキュームレータ３０には、大容量、例えば２０Ｌのアキュームレータが用いられていて、同アキュームレータ３０により、瞬時に大水量が使われるときに生じる吸込圧力の低下を抑えられる機能を与えている。
【００２２】
同吸込圧力の低下の抑制について説明すると、今、給水圧力を補うべく、例えば給水補助ポンプ１７が運転されたとする。すると、配水管部６、吸込口体１２ａ、三方切換弁２３ａ、逆止弁２４および吸込口部１２を通じて、ポンプユニット１１へ送り込まれた水道水は、給水補助ポンプ１７で、さらに加圧され、各上階へ配水するのに十分な給水圧力となる。そして、この補助的に加圧された水道水は、吐出口部１３、三方切換弁２３ｂ、逆止弁２７、開閉弁２８を通じて各分岐管３へ送られ、各分岐管３につながる需要部（蛇口やトイレなど）で使用される。
【００２３】
このとき、例えばタンクレストイレなどが使用されるとする。すると、瞬時に大水量が使われる。このとき、水道配水管１の口径は、細く、大水量の使用には不十分であるので、使用水量が給水補助ポンプ１７の吐出水量より大きくなる挙動が生ずる。この挙動を受けて、加圧運転中の給水補助ポンプ１７の吸込み側の圧力は瞬時に下がろうとする。
【００２４】
このとき、アキュームレータ３０の内部には、既に水道本管側の圧力で水道水が蓄えられているから、当該アキュームレータ３０の内部から、加圧水道水が低下する吸込圧力に応じて、随時、給水補助ポンプ１７の吸込み側へ供給（補充）される。ここで、アキュームレータ３０の容量は大きいから、十分に吸込圧力の低下は抑えられる。
【００２５】
このことから、細い水道配水管１を使用するという制約で生ずる給水補助ポンプ１７の吸込圧力の低下を抑えることができる。
【００２６】
したがって、たとえ細い水道配水管１を使用して、瞬時に大水量が使用されることがあっても、水道配水管１や水道本管（図示しない）に影響を与えるのを防ぐことができる。特に吸込圧力の低下の抑制には、単に大容量のアキュームレータ３０を使用しただけなので、簡単な構造ですむ。
【００２７】
なお、本発明は上述した一実施形態に限定されるものではなく、本発明の主旨を逸脱しない範囲内で種々変更して実施しても構わない。
【図面の簡単な説明】
【００２８】
【図１】本発明の一実施形態に係る給水補助加圧装置の構成を、同装置が組み付けられた住宅と共に示す図。
【符号の説明】
【００２９】
１…水道水配水管、１０…給水補助加圧装置、１７…給水補助ポンプ、２４…逆止弁（逆流防止部）、３０…アキュームレータ（抑制手段）。
【図１】
0004705830.tif 000002